(57)【要約】【課題】炭酸ガスによるミストシャワーの発生を実現可能とした美顔器を提供することを目的とするものである。【解決手段】その開口内に吸水部材１９が収納されたミストシャワー発生部４と、このミストシャワー発生部本体４に連通状に取付けられると共に、ミストシャワー発生部４内の吸水部材１９に炭酸ガスを供給可能な炭酸ガス供給部２とを備える。【選択図】図１
2013212298.tif 000002
【特許請求の範囲】
【請求項１】
炭酸ガスを供給可能な炭酸ガス供給部と、
その内部が中空状に構成されると共に、一端が前記炭酸ガス供給部に連通状に取付けられ、他端が開口状とされたミストシャワー発生部本体と、
該ミストシャワー発生部本体の内部に収納された吸水部材とを備える
美顔器。
【請求項２】
前記炭酸ガス供給部と着脱自在に構成されると共に、その内部に所定の空間が形成された減圧空間部を備える
請求項１に記載の美顔器。
【請求項３】
前記減圧空間部と前記ミストシャワー発生部本体との間に、その内部に所定の空間が形成された炭酸濃度調整管部を備える
請求項２に記載の美顔器。
【請求項４】
炭酸ガスを供給可能な炭酸ガス供給部と、
その内部が中空状に構成されると共に、一端が前記炭酸ガス供給部に連通状に取付けられたミストシャワー発生部本体と、
該ミストシャワー発生部本体の内部に収納された吸水部材と、
前記ミストシャワー発生部本体の他端から発生するミストシャワーが、その内側面に放出可能に構成されたマスク部とを備える
美顔器。
【請求項５】
前記マスク部の目、鼻、口部分が開口された
請求項４に記載の美顔器。
【請求項６】
炭酸ガスを供給可能な炭酸ガス供給部と、
その内部が中空状に構成されると共に、一端が前記炭酸ガス供給部に連通状に取付けられたミストシャワー発生部本体と、
該ミストシャワー発生部本体の内部に収納された吸水部材と、
ロート形状に構成されると共に、小径である一端が前記ミストシャワー発生部本体の他端と連通状に取り付けられ、大径である他端が開口状とされたパット部とを備える
美顔器。
【請求項７】
前記ミストシャワー発生部本体の中空状に構成された内部に通じる注入口を備える
請求項４、請求項５または請求項６に記載の美顔器。
【発明の詳細な説明】
【技術分野】
【０００１】
本発明は美顔器に関する。詳しくは、炭酸ガスと水、あるいは化粧水等との混合液（炭酸水）を肌に湿潤させる美顔器に係るものである。
【背景技術】
【０００２】
従来、遊離炭酸を含有する炭酸泉に入浴すると、炭酸泉内の炭酸成分が皮膚下の毛細血管に作用してこの毛細血管を拡張させ、これにより入浴者の血行が改善されて入浴者の疲労回復や健康増進が図れることは、既に広く知られている。
【０００３】
そこで、この炭酸成分が皮膚下の毛細血管に作用して、この毛細血管を拡張させる効能を利用して、化粧水と共に混合液を顔肌に吹き付ける美顔器として、例えば特許文献１に記載されたものが知られている。
【０００４】
具体的には、図８に示すように、スプレー本体１０１には、操作レバーが設けられた握手部１０２と、所定量の化粧水を収納する化粧水収納カップ１０３と、この化粧水収納カップ１０３から滴下された化粧水が引き込まれる導管１０６が内蔵配置されている。
【０００５】
また、導管の先端には噴射ノズル１０４が設けられ、操作レバーを引くことで、炭酸ガス供給用ボンベ１０５からのガスが導管１０６を直進し、化粧水収納カップ１０３からの化粧水を誘引して混合化粧水として噴射ノズル１０４から一気に噴霧状に顔肌に吹き付ける構成とされている。
【先行技術文献】
【特許文献】
【０００６】
【特許文献１】実用新案登録第３１３６４６５公報
【発明の概要】
【発明が解決しようとする課題】
【０００７】
しかしながら、上述した特許文献１に記載された美顔器では、例えば、一般的な炭酸ガス供給用ボンベでは液化封入するために４０気圧ほどの圧力が掛けられており、減圧をせずに噴射ノズルから噴射させた場合には、肌に噴射された炭酸ガスの大部分は飛散する。
【０００８】
また、ノズル先端にパットを取付けた場合では、液化ガスが気化される際の気化熱で肌が局部的に冷却されて軽度の凍傷を引き起こす恐れがある。
【０００９】
また、化粧水収納カップからの化粧水を誘引するための炭酸ガス量が必要となり、所謂携帯用ボンベでは対応することができず、固定型のボンベのみの使用となる。
【００１０】
本発明は、以上の点に鑑みて創案されたものであって、炭酸水によるミストシャワーの発生を実現可能とした美顔器を提供することを目的とするものである。
【課題を解決するための手段】
【００１１】
上記の目的を達成するために、本発明に係る美顔器は、炭酸ガスを供給可能な炭酸ガス供給部と、その内部が中空状に構成されると共に、一端が前記炭酸ガス供給部に連通状に取付けられ、他端が開口状とされたミストシャワー発生部本体と、該ミストシャワー発生部本体の内部に収納された吸水部材とを備える。
【００１２】
ここで、炭酸ガスを供給可能な炭酸ガス供給部によって、例えば、炭酸ガスボンベによる炭酸ガスの供給が可能となる。
【００１３】
また、その内部が中空状に構成されると共に、一端が炭酸ガス供給部に連通状に取付けられ、他端が開口状とされたミストシャワー発生部本体によって、炭酸ガス供給部からの炭酸ガスをミストシャワー発生部本体の内部に供給することが可能となる。
【００１４】
また、ミストシャワー発生部本体の内部に収納された吸水部材によって、炭酸ガスが吸水部材の含浸された水、あるいは化粧水等の液体に溶け込んで炭酸水となりガス噴射圧でミストシャワー状に変換可能となる。
【００１５】
また、炭酸ガス供給部と着脱自在に構成されると共に、その内部に所定の空間が形成された減圧空間部を備える場合には、炭酸ガス供給部から高い圧力で噴出される炭酸ガスは、所定空間を有する減圧空間部内に放出されるために、急激に圧力を低下させることが可能となる。
【００１６】
また、減圧空間部とミストシャワー発生部本体との間に、その内部に所定の空間が形成された炭酸濃度調整管部を備える場合には、減圧空間部内で急激に圧力が低下した炭酸ガスは炭酸濃度調整管部内で所定のガス圧と炭酸濃度に調整可能とされる。
【００１７】
また、上記の目的を達成するために、本発明に係る美顔器は、炭酸ガスを供給可能な炭酸ガス供給部と、その内部が中空状に構成されると共に、一端が前記炭酸ガス供給部に連通状に取付けられたミストシャワー発生部本体と、該ミストシャワー発生部本体の内部に収納された吸水部材と、前記ミストシャワー発生部本体の他端から発生するミストシャワーが、その内側面に放出可能に構成されたマスク部とを備える。
【００１８】
ここで、炭酸ガスを供給可能な炭酸ガス供給部によって、例えば、炭酸ガスボンベによる炭酸ガスの供給が可能となる。
【００１９】
また、その内部が中空状に構成されると共に、一端が前記炭酸ガス供給部に連通状に取付けられたミストシャワー発生部本体によって、炭酸ガス供給部からの炭酸ガスをミストシャワー発生部本体の内部に供給することが可能となる。
【００２０】
また、ミストシャワー発生部本体の内部に収納された吸水部材によって、炭酸ガスが吸水部材の含浸された水に溶け込んで炭酸水となりガス噴射圧でミスト状に変換可能となる。
【００２１】
また、ミストシャワー発生部本体の他端から発生するミストシャワーが、その内側面に放出可能に構成されたマスク部によって、ミストシャワー発生部本体で噴出されるミスト状の炭酸水がマスク部内に放出される。即ち、炭酸水が外部に飛散することなく顔面全体を湿潤させることが可能となる。
【００２２】
また、マスク部の目、鼻、口部分が開口された場合には、目、鼻及び口からの炭酸水の侵入を防護しながら顔面全体を湿潤させることが可能となる。
【００２３】
また、上記の目的を達成するために、本発明に係る美顔器は、炭酸ガスを供給可能な炭酸ガス供給部と、その内部が中空状に構成されると共に、一端が前記炭酸ガス供給部に連通状に取付けられたミストシャワー発生部本体と、該ミストシャワー発生部本体の内部に収納された吸水部材と、ロート形状に構成されると共に、小径である一端が前記ミストシャワー発生部本体の他端と連通状に取り付けられ、大径である他端が開口状とされたパット部とを備える。
【００２４】
ここで、炭酸ガスを供給可能な炭酸ガス供給部によって、例えば、炭酸ガスボンベによる炭酸ガスの供給が可能となる。
【００２５】
また、その内部が中空状に構成されると共に、一端が前記炭酸ガス供給部に連通状に取付けられたミストシャワー発生部本体によって、炭酸ガス供給部からの炭酸ガスをミストシャワー発生部本体の内部に供給することが可能となる。
【００２６】
また、ストシャワー発生部本体の内部に収納された吸水部材によって、炭酸ガスが吸水部材の含浸された水に溶け込んで炭酸水となりガス噴射圧でミスト状に変換可能となる。
【００２７】
また、ロート形状に構成されると共に、小径である一端が前記ミストシャワー発生部本体の他端と連通状に取り付けられ、大径である他端が開口状とされたパット部によって、ミストシャワー発生部で噴出されるミスト状の炭酸水がパット部内に放出される。即ち、パット部を当てた顔面を炭酸水で湿潤させることが可能となる。
【００２８】
また、ミストシャワー発生部の吸水部材に炭酸ガスを供給可能な炭酸ガス供給部を備えることによって、例えば、炭酸ガスボンベによる吸水部材への炭酸ガスの供給を可能とする。
【００２９】
また、ミストシャワー発生部本体の中空状に構成された内部に通じる注入口を備える場合には、吸水部材に水を含浸させることができる。具体的には、注入口に水が充填された容器の排出口を挿し込んで水の注入を行うことで水の補給が可能となる。
【発明の効果】
【００３０】
本発明に美顔器によれば、炭酸ガスを水、あるいは化粧水等の液体に溶け込ませて炭酸水のミストシャワーの発生を実現可能とするものである。
【図面の簡単な説明】
【００３１】
【図１】本発明を適用した美顔器の一例を説明するための模式図である。
【図２】本発明を適用した美顔器における減圧装置の一例を説明するための模式図である。
【図３】本発明を適用した美顔器におけるミストシャワー発生部本体の一例を説明するための模式図である。
【図４】本発明を適用した美顔器の携帯式の収納ケースの一例を説明するための模式図である。
【図５】本発明を適用した美顔器の他の例を説明するための模式図である。
【図６】本発明を適用した美顔器におけるミストシャワー発生部本体の他の例を説明するための模式図である。
【図７】本発明を適用した美顔器の更に他の例を説明するための模式図である。
【図８】従来の美顔器の一例を説明するための模式図である。
【発明を実施するための形態】
【００３２】
以下、本発明の実施の形態を図面を参酌しながら説明し、本発明の理解に供する。
【００３３】
＜第１の実施の形態＞
図１は本発明を適用した美顔器の一例を説明するための模式図、図２は本発明を適用した美顔器における減圧装置の一例を説明するための模式図、図３は本発明を適用した美顔器におけるミストシャワー発生部の一例を説明するための模式図である。
【００３４】
ここで示す美顔器１は、炭酸ボンベが収納可能な炭酸ガス供給部２と、この炭酸ガス供給部２に連結された炭酸濃度調整管部３と、この炭酸濃度調整管部３に接続されたミストシャワー発生部本体４とから構成されている。
【００３５】
ここで、炭酸ガス供給部２は、炭酸液化ガスが充填された炭酸ボンベ５が収納可能とされた中空状の把持部６と、炭酸ボンベ５の取付けネジ１０に接続可能な減圧空間部７とから構成されている。
【００３６】
また、把持部６の底部には炭酸ボンベ５の出し入れを行うための開閉部８が取付けられている。
【００３７】
ここで、減圧空間部７は図２に示すように、その底面に炭酸ボンベ５のノズル２９の周囲に設けられた取付けネジ１０と螺合可能とされた連結用ネジ穴部１１が形成されている。
【００３８】
また、連結用ネジ部１１に、一端側に連結穴部１２が設けられた減圧室１３が連通状に形成されている。
【００３９】
このような構成とされた連結用ネジ穴部１１に、炭酸ボンベ５の取付けネジ１０と螺合連結した場合に、炭酸ボンベ５のノズル２９が連結穴部１２で押し下げられることで減圧室１３と連通可能な状態とされている。
【００４０】
この減圧室１３は、４０気圧で液体化された炭酸が気化する際の気圧を、例えば約４０分の１まで減圧を行うために球形状の空間に形成され、その他端側に噴出管部１４が連通状に連結されている。
【００４１】
また、噴出管部１４の中途には、噴出管部１４内の開閉を行うためのスイッチ９が設けられている。更に、噴出管部１４の先端の外周にはネジ部１５が周設されている。
【００４２】
炭酸濃度調整管部３は、プラスチック等の合成樹脂製の管状体であり、その両側端の開口内には雌ネジ部１６、１６Ａが設けられている。この炭酸濃度調整管部３の雌ネジ部１６は、噴出管部１４の先端のネジ部１５と連通状に螺着可能な構成とされている。
【００４３】
また、ミストシャワー発生部本体４は、その内部が中空状に構成されると共に、他端が開口状とされた、所謂お椀形状に形成されている。
【００４４】
ここで、ミストシャワー発生部本体４の一端には、その内部に連通状に接続管１７が設けられ、この接続管１７の開口端外周面に雄ネジ部１８が周設され、炭酸濃度調整管部３の雌ネジ部１６Ａに連通状に螺着可能な構成とされている。
【００４５】
更に、ミストシャワー発生部本体４内には、例えば、連続した気孔を有する海綿体、あるいはズポンジ等の吸水部材１９が嵌め入れられている。
【００４６】
図４は本発明を適用した美顔器の携帯式の収納ケースの一例を説明するための模式図である。
【００４７】
ここで、収納ケース２０内には、炭酸ガス供給部２と炭酸濃度調整管部３とミストシャワー発生部本体４とが分解された状態で収納され、ミストシャワー発生部本体４は水ケース２１内に収納された状態とされている。また、美顔器１以外には、例えば水が入った容器２２が収納されている。
【００４８】
上記の様に収納された美顔器を使用する際には、先ず、収納ケース２０内から炭酸ガス供給部２を取り出して炭酸濃度調整管部３を連結する。そして水ケース２１内に容器２２から例えば、水を注いでミストシャワー発生部本体４の吸水部材１９水で浸した後に、ミストシャワー発生部本体４を水ケース２１内から取り出して炭酸濃度調整管部３に接続する。
【００４９】
なお、本実施例では減圧用としての減圧空間部を設けるものであるが、必ずしもこのような減圧空間部を設ける必要性はない。
【００５０】
例えば、コイル状に巻かれた管内に炭酸ガスを通すことで減圧することができる等、いかなる機構であっても構わないが、できるだけ携帯できるようにコンパクトにできる機構とすることが望ましい。
【００５１】
また、本実施例では炭酸濃度調整管部を、炭酸ガス供給部とミストシャワー発生部本体との間に設けるものであるが、必ずしも設ける必要性はない。
【００５２】
例えば、炭酸ガス供給部に、ミストシャワー発生部本体を直接接続する構成であっても構わないが、減圧及び炭酸濃度の再調整を行うことができるという点において炭酸濃度調整管部を設けることが望ましい。
【００５３】
以上の構成よりなる本発明の美顔器１では、炭酸ボンベ５から噴出された炭酸ガスは、減圧室１３で４０分１程度に減圧されて減圧空間部７から炭酸濃度調整管部３内に注入される。
【００５４】
この炭酸濃度調整管部３内に注入された炭酸ガスは、炭酸濃度調整管部３内の空間容積で、更に減圧される。
【００５５】
このようして減圧と炭酸濃度調整が行われた炭酸ガスは、ミストシャワー発生部本体４の内部に嵌め入れた吸水部材１９に放出される。
【００５６】
ここで、吸水部材１９内を通過する炭酸ガスは、水に溶け込んで炭酸濃度が高められて炭酸水のミストシャワーとなる。このようにミストシャワーとなり肌に降り注ぐことで肌に浸透し、この炭酸成分が皮膚下の毛細血管に作用して、この毛細血管を拡張させ血行を良くすると共に老廃物を排出する。
【００５７】
また、炭酸水として肌に接することで炭酸ガスを無駄なく効率良く活用することができる。従って、小容量の携帯用炭酸ボンベであっても十分に美顔効果を発揮することが可能となる。
【００５８】
＜第２の実施の形態＞
図５は本発明を適用した美顔器の他の例を説明するための模式図、図６は本発明を適用した美顔器におけるミストシャワー発生部本体の他の例を説明するための模式図である。
【００５９】
ここで示す美顔器１Ａは、炭酸ボンベが収納可能な炭酸ガス供給部２Ａと、この炭酸ガス供給部２Ａに連結されたミストシャワー発生部本体４Ａと、このミストシャワー発生部本体４Ａに連結されたマスク部２３から構成されている。
【００６０】
ここで、炭酸ガス供給部２Ａは、炭酸液化ガスが充填された炭酸ボンベ５が収納可能とされた中空状の把持部６と、炭酸ボンベ５の取付けネジ１０に接続可能な減圧空間部７とから構成されている。
【００６１】
また、把持部６の底部には炭酸ボンベ５の出し入れを行うための開閉部８が取付けられている。
【００６２】
また、減圧空間部７は前記図２において詳述したように、その底面に炭酸ボンベ５のノズル２９の周囲に設けられた取付けネジ１０と螺合可能とされた連結用ネジ穴部１１が形成されている。
【００６３】
また、連結用ネジ部１１に、一端側に連結穴部１２が設けられた減圧室１３が連通状に形成されている。
【００６４】
このような構成とされた連結用ネジ穴部１１に、炭酸ボンベ５の取付けネジ１０と螺合連結した場合に、炭酸ボンベ５のノズル２９が連結穴部１２で押し下げられることで減圧室１３と連通可能な状態とされている。
【００６５】
この減圧室１３は、４０気圧で液体化された炭酸が気化する際の気圧を約４０分の１まで減圧を行うために球形状の空間に形成され、その他端側に噴出管部１４が連通状に連結されている。
【００６６】
また、噴出管部１４の中途には、噴出管部１４内の開閉を行うためのスイッチ９が設けられている。更に、噴出管部１４の先端の外周にはネジ部１５が周設されている。
【００６７】
ここで、図６に示すように、ミストシャワー発生部本体４Ａは、プラスチック等の合成樹脂製の管体内に、例えば、連続した気孔を有する海綿体、あるいはズポンジ等の吸水部材１９が充填されている。
【００６８】
また、ミストシャワー発生部本体４Ａの一端側の開口内には、噴出管部１４のネジ部１５と連通状に螺合可能な雌ネジ部１６Ｂが設けられている。
【００６９】
また、ミストシャワー発生部本体４Ａの他端側の開口端には、ビニール等の可撓性を有する複数のホース２４が連通状に接続されている。
【００７０】
更に、ミストシャワー発生部本体４Ａの外周壁２５には、注入口２６が開口されている。この注入口２６に水、あるいは化粧水等の液体が充填された容器２２の排出口２７を挿し込んでミストシャワー発生部本体４Ａ内の吸水部材１９を液体で浸すことができる構成とされている。
【００７１】
ここで、ミストシャワー発生部本体４Ａの他端側に接続されたホース２４は、シリコン等の柔軟性素材により形成されたマスク部２３に、このマスク部２３の内部側に放出可能となるように連通状に接続されている。
【００７２】
このマスク部２３は、顔の目、鼻、口部分が開口部３０とされ、これにより炭酸が目に入って充血したり、吸込んで呼吸器系を痛めないような構成とされている。
【００７３】
また、マスク部２３とホース２４との接続は、例えば、差込みプラグ（図示せず。）等により着脱可能な構成とされている。
【００７４】
なお、本実施例では減圧空間部に減圧用としての減圧室を設けるものであるが、必ずしもこのような減圧室を設ける必要性はない。
【００７５】
例えば、コイル状に巻かれた管内に炭酸ガスを通すことで減圧することができる等、いかなる機構であっても構わないが、できるだけ携帯できるようにコンパクトにできる機構とすることが望ましい。
【００７６】
以上の構成よりなる本発明の美顔器１Ａでは、炭酸ボンベ５から噴出された炭酸ガスは、減圧室１３で４０分１程度に減圧されて減圧空間部７からミストシャワー発生部本体４Ａ内に注入される。
【００７７】
このミストシャワー発生部本体４Ａ内には吸水部材１９が内包されており、減圧空間部７から噴出された炭酸ガスは、ミストシャワー発生部本体４Ａ内の空間容積で、更に減圧される。
【００７８】
そして、吸水部材１９内を通過する炭酸ガスは、水に溶け込んで炭酸濃度が高められて炭酸水のミストシャワーとなりマスク部２３へと送出される。
【００７９】
ここで、マスク部２３へ送出された炭酸水のミストシャワーは、顔全体の肌に降り注ぐことで肌に浸透し、この炭酸成分が皮膚下の毛細血管に作用して、この毛細血管を拡張させ血行を良くすると共に老廃物を排出する。
【００８０】
このようにして炭酸水として肌に接することで炭酸ガスを無駄なく効率良く活用することができることで小容量の携帯用炭酸ボンベであっても十分に美顔効果を発揮することが可能となる。
【００８１】
＜第３の実施の形態＞
図７は本発明を適用した美顔器の更に他の例を説明するための模式図である。
ここで示す美顔器１Ｂは、炭酸ガスボンベが収納可能な炭酸ガス供給部２Ｂと、この炭酸ガス供給部２Ｂに連結されたミストシャワー発生部本体４Ｂと、このミストシャワー発生部本体４Ｂに連結されたロート形状のパット部２８から構成されている。
【００８２】
ここで、炭酸ガス供給部２Ｂは、炭酸液化ガスが充填された炭酸ボンベ５が収納可能とされた中空状の把持部６と、炭酸ボンベ５の取付けネジ１０に接続可能な減圧空間部７とから構成されている。
【００８３】
また、把持部６の底部には炭酸ボンベ５の出し入れを行うための開閉部８が取付けられている。
【００８４】
また、減圧噴出部７は前記図２において詳述したように、その底面に炭酸ボンベ５のノズル２９の周囲に設けられた取付けネジ１０と螺合可能とされた連結用ネジ穴部１１が形成されている。
【００８５】
また、連結用ネジ部１１に、一端側に連結穴部１２が設けられた減圧室１３が連通状に形成されている。
【００８６】
このような構成とされた連結用ネジ穴部１１に、炭酸ボンベ５の取付けネジ１０と螺合連結した場合に、炭酸ボンベ５のノズル２９が連結穴部１２で押し下げられることで減圧室１３と連通可能な状態とされている。
【００８７】
この減圧室１３は、４０気圧で液体化された炭酸が気化する際の気圧を約４０分の１まで減圧を行うために球形状の空間に形成され、その他端側に噴出管部１４が連通状に連結されている。
【００８８】
また、噴出管部１４の中途には、噴出管部１４内の開閉を行うためのスイッチ９が設けられている。更に、噴出管部１４の先端の外周にはネジ部１５が周設されている。
【００８９】
また、ミストシャワー発生部本体４Ｂは、プラスチック等の合成樹脂製の管体内に、例えば、連続した気孔を有する海綿体、あるいはズポンジ等の吸水部材１９が内包されている。
【００９０】
そして、ミストシャワー発生部本体４Ｂの一端側の開口内には、噴出管部１４のネジ部１５と連通状に螺合可能な雌ネジ部１６Ｃが設けられている。
【００９１】
また、ミストシャワー発生部本体４Ｂの他端側の開口端には、ロート形状のパット部２８が連通状に接続されている。
【００９２】
ここで、パット部２２は、小径である一端がミストシャワー発生部本体４Ｂの他端と連通状に取り付けられ、大径である他端が開口状とされている。更に、このパット部２８は、例えば、シリコン材などの柔軟性素材により形成されている。
【００９３】
また、前記図６で詳述したように、ミストシャワー発生部本体４Ｂの外周壁２５には、注入口２６が開口されている。この注入口２６に水、あるいは化粧水等の液体が充填された容器２２の排出口２７を挿し込んでミストシャワー発生部本体４Ｂ内の吸水部材１９を液体で浸すことができる構成とされている。
【００９４】
なお、本実施例では減圧空間部に減圧用としての減圧室を設けるものであるが、必ずしもこのような減圧室を設ける必要性はない。
【００９５】
例えば、コイル状に巻かれた管内に炭酸ガスを通すことで減圧することができる等、いかなる機構であっても構わないが、できるだけ携帯できるようにコンパクトにできる機構とすることが望ましい。
【００９６】
以上の構成よりなる本発明の美顔器１Ｂでは、炭酸ボンベ５から噴出された炭酸ガスは、減圧室１３で４０分１程度に減圧されて減圧空間部７からミストシャワー発生部本体４Ｂ内に注入される。
【００９７】
このミストシャワー発生部本体４Ｂ内には吸水部材１９が内包されており、減圧空間部７から噴出された炭酸ガスは、ミストシャワー発生部本体４Ｂ内の空間容積で、更に減圧される。
【００９８】
そして、吸水部材１９内を通過する炭酸ガスは、水に溶け込んで炭酸濃度が高められて炭酸水のミストシャワーとなりパット部２８へと送出される。
【００９９】
ここで、パット部２８へ送出された炭酸水のミストシャワーは、顔全体の肌に降り注ぐことで肌に浸透し、この炭酸成分が皮膚下の毛細血管に作用して、この毛細血管を拡張させ血行を良くすると共に老廃物を排出する。
【０１００】
このようにして炭酸水として肌に接することで炭酸ガスを無駄なく効率良く活用することができることで小容量の携帯用炭酸ボンベであっても十分に美顔効果を発揮することが可能となる。
【符号の説明】
【０１０１】
１、１Ａ、１Ｂ    美顔器
２、２Ａ、２Ｂ    炭酸ガス供給部
３                炭酸濃度調整管部
４、４Ａ、４Ｂ    ミストシャワー発生部本体
５                炭酸ボンベ
６                把持部
７                減圧空間部
８                開閉部
９                スイッチ
１０              取付けネジ
１１              連結用ネジ穴部
１２              連結穴部
１３              減圧室
１４              噴出管部
１５              ネジ部
１６、１６Ａ、１６Ｂ、１６Ｃ  雌ネジ部
１７              接続管
１８              雄ネジ部
１９              吸水部材
２０              収納ケース
２１              水ケース
２２              容器
２３              マスク部
２４              ホース
２５              外周壁
２６              注入口
２７              排出口
２８              パット部
２９              ノズル
３０              開口部
【図１】
2013212298.tif 000003
【図２】
2013212298.tif 000004
【図３】
2013212298.tif 000005
【図４】
2013212298.tif 000006
【図５】
2013212298.tif 000007
【図６】
2013212298.tif 000008
【図７】
2013212298.tif 000009
【図８】
2013212298.tif 000010